(57)【要約】【課題】商品陳列室の前面、後面およびラウンド面からの冷気の吹き出しを安定にし、商品陳列室内を均一に冷却すること。【解決手段】前面１１、側面１２および後面１３が開口して商品を陳列するための商品陳列室４０と商品陳列室４０の内部および外部の間で商品陳列室４０の内部冷気を循環させる内部冷気循環ユニット６０と内部冷気循環ユニット６０によって循環される内部冷気を所定温度に調整する温度調整ユニット７０とを有するラウンド型オープンショーケースで、側面１２開口側のダクト６４の上端部を３つの上端部６４ａ〜６４ｃに仕切るとともに、上端部６４ａ〜６４ｃを前面１１、側面１２および後面１３開口側の吹出口３１に別々に通じさせる仕切板３３，３４を設ける。【選択図】        図３
2008149105.tif 000002
【特許請求の範囲】
【請求項１】
前面、後面および少なくとも１つの側面が開口して商品を陳列するための商品陳列室と前記商品陳列室の下方から上方に渡って形成される複数のダクトおよび前記前面、後面および側面の上側前方縁部に形成されて前記ダクトからの内部冷気を吹き出す吹出口を有して前記商品陳列室の内部および外部の間で冷却された内部冷気を循環させる内部冷気循環ユニットとを有したラウンド型オープンショーケースにおいて、
前記内部冷気循環ユニットは、前記側面の上側前方縁部に形成された吹出口に通じる前記ダクトの上端部を３つの領域に仕切るとともに、前記仕切ったダクトの上端部から前記前面、側面および後面のうちのそれぞれ２面間の上側前方縁部に形成された吹出口の隅角部まで、または該隅角部近傍まで延設される仕切手段を備えたことを特徴とするラウンド型オープンショーケース。
【請求項２】
前記仕切手段は、前記仕切ったダクトの上端部の３つの領域を前記前面、側面および後面の上側前方縁部に形成された吹出口にそれぞれ対応付けて別々の冷気流路を形成させることを特徴とする請求項１に記載のラウンド型オープンショーケース。
【請求項３】
前記仕切手段は、前記側面の上側前方縁部に形成された吹出口に前記前面、側面および後面のうちのそれぞれ２面間の上側前方縁部に形成された吹出口の隅角部を含めて、前記仕切ったダクトの上端部から両隅角部まで、または該隅角部近傍まで延設されることを特徴とする請求項２に記載のラウンド型オープンショーケース。
【請求項４】
前記仕切手段は、前記仕切ったダクトの上端部から吹き出された冷気を複数の流れに細分化して前記対応付けた吹出口に分配する仕切部材からなることを特徴とする請求項２に記載のラウンド型オープンショーケース。
【請求項５】
前記商品陳列室の下方に設置され冷却用熱交換器を配置したダクトと、前記側面の上側前方縁部に形成された吹出口とを接続し、前記冷却用熱交換器と熱交換した冷気を前記吹出口に送る上部吹出用冷気通路と、
前記商品陳列室の空間に対応する高さ位置から横方向に向けて開口する複数の冷気吐出口を備え、前記冷却用熱交換器と熱交換した冷気を前記冷気吐出口から前記商品陳列室内に吐出させる横吹出用冷気通路とを備え、
前記上部吹出用冷気通路と前記横吹出用冷気通路とを独立して設けたことを特徴とする請求項１〜４のいずれか一つに記載のラウンド型オープンショーケース。
【請求項６】
前記横吹出用冷気通路を、前記上部吹出用冷気通路の内部に構成したことを特徴とする請求項５に記載のラウンド型オープンショーケース。
【発明の詳細な説明】
【技術分野】
【０００１】
本発明は、前面、後面および側面が開口した商品陳列室を有するラウンド型オープンショーケースに関するものである。
【背景技術】
【０００２】
従来、ラウンド型オープンショーケースでは、前面、後面およびラウンド面（側面）が開口して商品を陳列するための商品陳列室を有しており、この商品陳列室の内部と外部との間にエアーカーテンを形成するために吹出口をそれぞれの面の上側前方部に形成するとともに、ケース中央で商品陳列室の下方から上方に渡ってダクトを形成して、内部冷気循環ユニットによって吹き出された冷気をこのダクトを介して吹出口から商品陳列室のそれぞれの面の下側前方部に形成された吸込口に向かって吹き出していた。ダクトは、仕切板によって前面、後面および側面に対応して前面ダクト、後面ダクトおよび側面ダクトの３つに仕切られている。このうち側面ダクトは、ダクト立ち上がり部の背面（商品陳列室の側面とは逆側の面）に設けられた仕切板によって前面ダクトおよび後面ダクトと仕切られていたので、冷気の吹出しが前面および後面の一部と側面の３面方向に吹出していた（特許文献１参照）。
【０００３】
【特許文献１】特開２００５−２４１１３６号公報
【発明の開示】
【発明が解決しようとする課題】
【０００４】
しかしながら、従来のラウンド型オープンショーケースでは、上述した側面ダクトの背面で仕切って冷気を３面方向に吹き出すようし、さらに側面ダクトの立ち上がりの短い部分で側面に吹き出し方向を向けた仕切で、側面だけでなく前面や後面にも冷気を広がらせていたので、吹出口から吹き出される冷気のエアーカーテンに薄い部分が発生する可能性があって、吹き出しのバランスがとりづらい。このように、従来のラウンド型オープンショーケースでは、エアーカーテンの吹き出しのバランスがとりづらいので、このバランスがとれなくなった時に外気でふらついてエアーカーテンが破られて、商品陳列室内に外気が進入して冷却が安定しないという問題があった。
【０００５】
本発明は、上記に鑑みてなされたものであって、商品陳列室の前面、後面および側面から吹き出される冷気のバランスをとれるようにして、冷気の吹き出しを安定にし、商品陳列室内を均一に冷却することができるラウンド型オープンショーケースを提供することを目的とする。
【課題を解決するための手段】
【０００６】
上記の目的を達成するために、本発明に係るラウンド型オープンショーケースは、前面、後面および少なくとも１つの側面が開口して商品を陳列するための商品陳列室と前記商品陳列室の下方から上方に渡って形成される複数のダクトおよび前記前面、後面および側面の上側前方縁部に形成されて前記ダクトからの内部冷気を吹き出す吹出口を有して前記商品陳列室の内部および外部の間で冷却された内部冷気を循環させる内部冷気循環ユニットとを有したラウンド型オープンショーケースにおいて、前記内部冷気循環ユニットは、前記側面の上側前方縁部に形成された吹出口に通じる前記ダクトの上端部を３つの領域に仕切るとともに、前記仕切ったダクトの上端部から前記前面、側面および後面のうちのそれぞれ２面間の上側前方縁部に形成された吹出口の隅角部まで、または該隅角部近傍まで延設される仕切手段を備えたことを特徴とする。
【０００７】
また、本発明に係るラウンド型オープンショーケースは、上記発明において、前記仕切手段は、前記仕切ったダクトの上端部の３つの領域を前記前面、側面および後面の上側前方縁部に形成された吹出口にそれぞれ対応付けて別々の冷気流路を形成させることを特徴とする。
【０００８】
また、本発明に係るラウンド型オープンショーケースは、上記発明において、前記仕切手段は、前記側面の上側前方縁部に形成された吹出口に前記前面、側面および後面のうちのそれぞれ２面間の上側前方縁部に形成された吹出口の隅角部を含めて、前記仕切ったダクトの上端部から両隅角部まで、または該隅角部近傍まで延設されることを特徴とする。
【０００９】
また、本発明に係るラウンド型オープンショーケースは、上記発明において、前記仕切手段は、前記仕切ったダクトの上端部から吹き出された冷気を複数の流れに細分化して前記対応付けた吹出口に分配する仕切部材からなることを特徴とする。
【００１０】
また、本発明に係るラウンド型オープンショーケースは、上記発明において、前記商品陳列室の下方に設置され冷却用熱交換器を配置したダクトと、前記側面の上側前方縁部に形成された吹出口とを接続し、前記冷却用熱交換器と熱交換した冷気を前記吹出口に送る上部吹出用冷気通路と、前記商品陳列室の空間に対応する高さ位置から横方向に向けて開口する複数の冷気吐出口を備え、前記冷却用熱交換器と熱交換した冷気を前記冷気吐出口から前記商品陳列室内に吐出させる横吹出用冷気通路とを備え、前記上部吹出用冷気通路と前記横吹出用冷気通路とを独立して設けたことを特徴とする。
【００１１】
また、本発明に係るラウンド型オープンショーケースは、上記発明において、前記横吹出用冷気通路を、前記上部吹出用冷気通路の内部に構成したことを特徴とする。
【発明の効果】
【００１２】
本発明にかかるラウンド型オープンショーケースは、仕切手段によって側面の上側前方縁部に形成された吹出口に通じる前記ダクトの上端部を３つの領域に仕切るとともに、前記仕切ったダクトの上端部から前記前面、側面および後面のうちのそれぞれ２面間の上側前方縁部に形成された吹出口の隅角部まで、または該隅角部近傍まで延設されるので、ダクトから吹き出された冷気の吹き出し方向が商品陳列室の前面、側面および後面のそれぞれ一面の吹出口のみに規制され、各面からの冷気の吹き出し状態が同じ状態になってバランスがとられて安定し、これにより外気の進入を抑制して商品陳列室内を均一に冷却することができるという効果を奏する。
【発明を実施するための最良の形態】
【００１３】
以下に添付図面を参照して、本発明に係るラウンド型オープンショーケースの好適な実施の形態を詳細に説明する。なお、この実施の形態によりこの発明が限定されるものではない。
【００１４】
（実施の形態１）
図１は、本発明の実施の形態１におけるラウンド型オープンショーケースを概略的に示した概略正面図であり、図２は、本発明の実施の形態１におけるラウンド型オープンショーケースの側面を概略的に示した概略側断面図であり、図３は、本発明の実施の形態１におけるラウンド型オープンショーケースの平面を概略的に示した概略平断面図であり、図４は、図１に示した天蓋の実施の形態１を概略的に示した概略Ａ−Ａ断面図である。これらの図において、ラウンド型オープンショーケースは、本体キャビネット１０を備えている。本体キャビネット１０は、断熱部材からなる下部筐体２０と、この下部筐体２０の上方に設けられた天蓋３０と、この下部筐体２０と天蓋３０との間で本体キャビネット１０の内部に形成された商品陳列室４０と、商品陳列室４０の他側面を閉塞する側板５０とを備え、前面、後面および側面が開口した略直方状の断熱筐体として形成されたものである。また、ラウンド型オープンショーケースは、内部冷気循環ユニット６０と、温度調整ユニット７０とを備えている。
【００１５】
商品陳列室４０は、本体キャビネット１０の内部の前面１１側、側面１２側および後面１３側に形成され、形成された各面の前方がそれぞれ開口している。この商品陳列室４０には、商品陳列棚４１〜４３が上下方向に沿って複数段（実施の形態１では３段）に並べて配設されている。各商品陳列棚４１〜４３は、それぞれ商品を載置して陳列するためのものであり、前面１１側の商品陳列室４０から側面１２側の商品陳列室４０を経て後面１３側の商品陳列室４０に延設されている（図１、図２参照）。
【００１６】
下部筐体２０には吸込口２１が設けられている。吸込口２１は、商品陳列室４０内部の冷却された空気（以下、「内部冷気」という）を下部筐体２０内部に吸い込むための開口である。この吸込口２１は、商品陳列室４０の前面１１開口、側面１２開口および後面１３開口の下側前方部の周方向に沿って延設された長尺状のもので、下部筐体２０の上方縁部に配設されている。
【００１７】
天蓋３０には吹出口３１が設けられている。吹出口３１は、商品陳列室４０の内部冷気を下方に吹き出すための開口である。この吹出口３１は、商品陳列室４０の前面１１開口、側面１２開口および後面１３開口の上側前方部の周方向に沿って延設された長尺状のもので、天蓋３０の前方縁部に配設されている。
【００１８】
内部冷気循環ユニット６０は、冷気流路６１と、送風ファン６２とを備えて構成される。冷気流路６１は、下部筐体２０の吸込口２１から天蓋３０の吹出口３１に到る冷気の流路である。冷気流路６１は、３つ設けられている。すなわち、冷気流路６１は、前面１１開口側の商品陳列室４０の内部と外部との間でこの商品陳列室４０の内部冷気を循環させる前面用冷気流路６１ａと、側面１２開口側の商品陳列室４０の内部と外部との間でこの商品陳列室４０の内部冷気を循環させる側面用冷気流路６１ｂと、後面１３開口側の商品陳列室４０の内部と外部との間でこの商品陳列室４０の内部冷気を循環させる後面用冷気流路６１ｃとが設けられている。
【００１９】
この前面用冷気流路６１ａは、下部筐体２０内の前面側に形成された前面用ダクト２２および商品陳列室４０内に形成された内部中空の冷気ダクト６３を備える。この側面用冷気流路６１ｂは、下部筐体２０内の側面側に形成された側面用ダクト２３および商品陳列室４０内の冷気ダクト６３の側面に形成された内部中空の冷気ダクト６４を備える。また、この後面用冷気流路６１ｃは、下部筐体２０内の後面側に形成された後面用ダクト２４および商品陳列室４０内の冷気ダクト６３の背面に形成された内部中空の冷気ダクト６５を備える。
【００２０】
この冷気ダクト６３は、前面用ダクト２２に連続して、前面１１の吸込口２１と吹出口３１とに通じている。冷気ダクト６４は、側面ダクト２３に連続して、側面１２の吸込口２１と吹出口３１とに通じている。冷気ダクト６５は、後面ダクト２４に連続して、後面１３の吸込口２１と吹出口３１とに通じている。冷気ダクト６３，６５は、冷気ダクト６４よりも長さおよび横断面積が大きく形成されている。また、各冷気ダクト６３〜６５の側面には、冷気吐出口６６が複数形成され、この冷気吐出口６６は、たとえば各段の商品陳列棚４１〜４３にそれぞれ対応して上下に分けて複数形成されている（図１、図２参照）。
【００２１】
送風ファン６２は、各冷気流路６１ａ〜６１ｃに空気を送出するためのものである。この送風ファン６２は、下部筐体２０の各ダクト２２〜２４内部における冷気流路６１ａ〜６１ｃに複数配置され、下部筐体２０内の内部冷気を冷気ダクト６３〜６５の下方から上方に送出して、吹出口３１から吸込口２１に向けて吹き出しことを可能にしている。
【００２２】
冷気ダクト６３と６５の上部は、図３に示すように、天蓋３０内に設けられた仕切板３２によって仕切られている。この仕切板３２は、冷気ダクト６４と商品陳列室４０の他の側面を閉塞する側板５０との間を仕切るように設けられている。冷気ダクト６４の上部は、天蓋３０内に設けられた仕切板３３，３４によって仕切られている。この仕切板３３，３４は、冷気ダクト６４の上端部から側面１２に吹き出し方向を向けたもので、冷気ダクト６４の上端部を前面１１用上端部６４ａ、側面１２用上端部６４ｂおよび後面１３用上端部６４ｃの３つの領域に仕切る。さらに、この仕切板３３，３４は、仕切られた冷気ダクト６４の上端部から天蓋３０の前面１１開口側の吹出口３１と側面１２開口側の吹出口３１との間の隅角部（境）３１ａおよび天蓋３０の側面１２開口側の吹出口３１と後面１３開口側の吹出口３１との間の隅角部（境）３１ｂに延設されている。
【００２３】
この仕切板３２，３３および側板５０は、前面用冷気流路６１ａの構成要素であり、冷気ダクト６３の上端部および冷気ダクト６４の上端部６４ａを前面１１開口側の吹出口３１に通じさせる。この仕切板３３，３４は、側面用冷気流路６１ｂの構成要素であり、冷気ダクト６４の上端部６４ｂを側面１２開口側の吹出口３１に通じさせる。また、この仕切板３２，３４および側板５０は、後面用冷気流路６１ｃの構成要素であり、冷気ダクト６４の上端部６４ｃおよび冷気ダクト６５の上端部を後面１３開口側の吹出口３１に通じさせる。
【００２４】
この実施の形態１では、仕切板３２によって冷気ダクト６４と側板５０との間を仕切り、仕切板３３，３４によって冷気ダクト６４の上端部を上端部６４ａ〜６４ｃの３つの領域にそれぞれ仕切るとともに、この仕切板３３，３４が仕切られた冷気ダクト６４の上端部から吹出口３１の隅角部３１ａ，３１ｂに延設されて、冷気ダクト６３の上端部および冷気ダクト６４の上端部６４ａが前面１１開口側の吹出口３１に通じ、冷気ダクト６４の上端部６４ｂが側面１２開口側の吹出口３１に通じ、冷気ダクト６４の上端部６４ｃおよび冷気ダクト６５の上端部が後面１３開口側の吹出口３１に通じているので、冷気ダクトから吹き出された冷気は商品陳列室４０の前面、側面および後面のそれぞれ一面の吹出口３１のみに規制されて、均一に広がって吹出口３１から商品陳列室４０の下方に向かって送出される。
【００２５】
温度調整ユニット７０は、冷気流路６１を流れる空気を冷却するものである。この温度調整ユニット７０は、冷却用熱交換器を備え、各冷気流路６１ａ〜６１ｃにそれぞれ配置されている。つまり、温度調整ユニット７０は、冷気流路６１ａ〜６１ｃのそれぞれを流れる空気を冷却するものである。
【００２６】
以上のような構成を有するラウンド型オープンショーケースにおいては、送風ファン６２が駆動することにより、吸込口２１を通して吸い込まれた空気は、各冷気流路６１ａ〜６１ｃを流れ、その途中で温度調整ユニット７０の冷却用熱交換器により冷却される。冷却用熱交換器で冷却された空気（内部冷気）は、各冷気流路６１ａ〜６１ｃを通じて各冷気ダクト６３〜６５の上端部まで送出され、仕切板３２〜３４によって前面１１開口側、側面１２開口側および後面１３開口側の各吹出口３１までそれぞれ別々に導かれて、吹出口３１から均一に商品陳列室４０の下方に送出される。
【００２７】
このようなラウンド型オープンショーケースでは、前面１１、側面１２および後面１３の吹出口３１から吹き出された冷気が均一なエアーカーテン（吹出噴流）として、商品陳列室の内部と外部との間を下方に向かって流れるので、各面１１〜１３のエアーカーテンの吹き出しの状態が同じ状態になってバランスがとられて安定し、各冷気ダクト６３〜６５の冷気吐出口６６から吐出される冷気によって商品陳列室内を均一に冷却することが可能となる。
【００２８】
以上説明したように、この実施の形態１では、仕切板３２によって冷気ダクト６４と側板５０との間を仕切り、仕切板３３，３４によってダクト６４の上端部を３つの上端部６４ａ〜６４ｃに仕切るとともに、この仕切板３３，３４を仕切られた冷気ダクト６４の上端部から吹出口３１の隅角部３１ａ，３１ｂに延設させるので、各冷気ダクト６３〜６５から吹き出された冷気は前面、側面および後面のそれぞれ一面の吹出口３１のみに規制されて、各面の吹出口３１の隅々にまで均一に広がることが可能となり、吹き出しのバランスがとれた安定したエアーカーテンを形成することができ、これによって外気進入が抑制されて商品陳列室４０内を均一に冷却することができる。
【００２９】
また、この実施の形態１では、仕切板３２〜３４によって商品陳列室４０の前面１１、側面１２および後面１３をそれぞれ仕切るので、冷気ダクト６３から吹き出した冷気は冷気ダクト６４の上端部６４ａから吹き出した冷気とともに隅角部３１ａ方向に回り込むことが可能となり、冷気ダクト６５から吹き出した冷気は冷気ダクト６４の上端部６４ｃから吹き出した冷気とともに隅角部３１ｂ方向に回り込むことが可能となり、吹き出しのバランスがとれた安定したエアーカーテンを形成することが可能となる。
【００３０】
（実施の形態２）
図５は、図１に示した天蓋の実施の形態２を概略的に示した概略Ａ−Ａ断面図である。図５において、この実施の形態２では、側面１２開口側のダクト６４の上端部を上端部６４ａ〜６４ｃの３つの領域に仕切るとともに、隅角部３１ａ，３１ｂを含めて側面１２開口側の吹出口３１を上端部６４ｂに通じさせるように仕切板３３，３４を前面１１開口側および後面１３開口側の吹出口３１まで延設させる。
【００３１】
この実施の形態２では、隅角部３１ａ，３１ｂを含めた側面１２開口側の吹出口３１が冷気ダクト６４の上端部６４ｂと通じるので、この上端部６４ｂから吹き出された冷気は両隅角部３１ａ，３１ｂを含めた側面１２開口側の吹出口のみの一面の吹出口に規制されて均一に広がり、両隅角部３１ａ，３１ｂでの内部冷気の薄まりを防ぐことができ、各面の吹出口３１から吹き出しのバランスがとられた安定したエアーカーテンを形成することができ、実施の形態１と同様に外気進入が抑制されて商品陳列室４０内を均一に冷却することができる。
【００３２】
なお、この発明では、実施の形態２に限らず、たとえば隅角部３１ａを前面１１開口側の吹出口３１に含め、隅角部３１ｂを後面１３開口側の吹出口３１に含めるように仕切板３３，３４を延設させることも可能である。この場合も実施の形態２と同様の効果を得ることができる。
【００３３】
（実施の形態３）
図６は、図１に示した天蓋３０の実施の形態３を概略的に示した概略Ａ−Ａ断面図である。図６において、この実施の形態３では、側面開口１２側のダクト６４の上端部を上端部６４ａ〜６４ｃの３つの領域に仕切る仕切板３５，３６を設けるとともに、この仕切板３５，３６から側面開口１２側に広がった放射状に、上端部６４ｂから吹き出された冷気を複数の流れに細分化して側面開口１２側の吹出口３１に分配する複数の仕切部材３７を設ける。これら仕切部材３７は、ダクトの上端部６４ｂから側面１２開口側の吹出口３１までの天蓋３０の領域を４等分するように形成されて、ダクトの上端部６４ｂから吹き出された冷気が仕切部材３７によって均一に分配されるように構成する。
【００３４】
この実施の形態３では、側面開口１２側の吹出口３１に冷気を均一に分配する複数の仕切部材３７を設けたので、冷気ダクト６４の上端部６１ｂからの冷気が側面開口１２側の吹出口３１の隅々にまでさらに均一に広がることが可能となり、吹き出しのバランスがとれた安定したエアーカーテンを形成することができ、これによって外気進入が抑制されて商品陳列室４０内を均一に冷却することができる。
【００３５】
なお、実施の形態３では、側面１２開口側にのみ仕切部材３７を設けたが、本発明はこれに限らず、前面１１開口側および後面１３開口側にも仕切部材３７を設けることも可能である。この場合は、冷気ダクト６３〜６５から吹き出された冷気をさらに細分化して均一に各面の開口１１〜１３側のそれぞれの吹出口３１に分配することができるので、各冷気ダクト６３〜６５の上端部からの冷気が前面、側面および後面の各面の吹出口３１の隅々にまでさらに均一に広がることが可能となり、さらに吹き出しのバランスがとれた安定したエアーカーテンを形成することができ、これによって外気進入が抑制されて商品陳列室４０内をさらに均一に冷却することができる。
【００３６】
なお、これら実施の形態では、仕切板３５，３６をダクトの上端部６４から隅角部３１ａ，３１ｂに当接するように延設させたが、本発明はこれに限らず、仕切板３５，３６の長さは隅角部３１ａ，３１ｂで内部冷気が不均一に広がってエアーカーテンに薄い部分が生じるのを防ぐ範囲での長さ、好ましくは隅角部３１ａ，３１ｂの近傍にまで延設した長さに設定することも可能である。
【００３７】
（実施の形態４）
次に、実施の形態４のラウンド型オープンショーケースについて説明する。実施の形態４のラウンド型オープンショーケースは、側面用冷気流路６１ｂを構成する冷気ダクト６４の構成以外は、上記実施の形態１〜３と同一の構成である。すなわち、冷気ダクト６３、６５の上部空間が仕切板３２によって仕切られるとともに、冷気ダクト６４の上部空間が仕切板３３，３４によって仕切られている。図７は、実施の形態４のラウンド型オープンショーケースの正面図であり、冷気ダクト６４の空気の流れを概念的に示した図である。図７に示すように、本実施の形態では、冷気ダクト６４において、側面１２側の吹出口３１へ冷気を送る通路と、冷気ダクト６４の壁面に形成された複数の冷気吐出口６６へ冷気を送る通路とを、独立して設けた構成としている。
【００３８】
図８は、図７における冷気ダクト６４のＢ−Ｂ断面図である。図８に示すように、冷気ダクト６４は、断面を略台形状に形成したものであり、商品陳列棚４１〜４３が設置される壁６４１ａ（以下、側壁６４１ａという）と、壁６４１ｂ，６４１ｃとを備えている。上述した冷気吐出口６６は、商品陳列室４０の空間に対応する高さ位置から横方向に向けて開口し、商品陳列室内に冷気を吐出させるものであり、側壁６４１ａの両側部に設けてある。図８には明示されていないが、この冷気吐出口６６は、側壁６４１ａの両側部の上下に亘って複数個形成してある。
【００３９】
冷気ダクト６４内には、上下方向に沿って２枚の仕切壁６４２，６４３が設けてある。この仕切壁６４２，６４３によって、冷気ダクト６４は、上部吹出用冷気通路６４４と横吹出用冷気通路６４５，６４６とに仕切られた構成となっている。上部吹出用冷気通路６４４は、吹出口３１に通じる通路であり、より詳細には、上述した冷気ダクト上端部６４ｂを通じて側面１２開口側の吹出口３１に冷気を送る通路である。
【００４０】
一方、仕切壁６４２によって仕切られた横吹出用冷気通路６４５、及び、仕切壁６４３によって仕切られた横吹出用冷気通路６４６は、側壁６４１ａの両側部に形成した複数の冷気吐出口６６に通じる通路である。図７に示される冷気ダクト６４内の破線部分は、本実施の形態における横吹出用冷気通路６４５，６４６の設置範囲を示したものである。すなわち、冷気ダクト６４内の仕切壁６４２，６４３は、側面ダクト２３の接続口付近から、最も上部に形成された冷気吐出口６６（すなわち商品陳列棚４２に対応する冷気吐出口６６）付近の高さまで設置される。横吹出用冷気通路６４５，６４６の上端部は閉塞させてある。また、図８に示すように、冷気吐出口６６の側方には、冷気吐出口６６から吐出される冷気を側面１２開口側に導く冷気案内板６４７，６４８が配設してある。本実施の形態では、冷気ダクト６４を構成する壁６４１ｂ，６４１ｃをダクト外部まで延設させる態様で、冷気案内板６４７，６４８を形成してある。
【００４１】
次に冷気ダクト６４の空気の流れを説明する。図７に示すように、側面１２開口側の吸込口２１から吸い込まれた空気は、側面ダクト２３に設置された冷却用熱交換器７１によって冷却され、冷気ダクト６４内に送られる。冷気ダクト６４内に送られた冷気はダクト内を上昇し、仕切壁６４２，６４３によって仕切られた上部吹出用冷気通路６４４及び横吹出用冷気通路６４５，６４６に分配され、各通路内を上昇する。横吹出用冷気通路６４５，６４６を流通する冷気は、各商品陳列棚４３，４２に対応する複数の冷気吐出口６６ｂから吐出される。一方、上部吹出用冷気通路６４を上昇した冷気は、上述した冷気ダクト上端部６４ｂを通じて側面１２開口側の吹出口３１から吹き出される。
【００４２】
以上説明したように、実施の形態４のラウンド型オープンショーケースでは、冷気ダクト６４に仕切壁６４２，６４３を設けることにより、冷気ダクト６４内において、冷気ダクト６４上部の天蓋３０に設けられた吹出口３１に通じる上部吹出用冷気通路６４４と、冷気ダクト６４の側壁６４１ａに形成された冷気吐出口６６ｂに通じる横吹出用冷気通路６４５，６４６とを独立して設けた構成とした。上記構成とした場合、吹出口３１からの冷気の吹出しと冷気吐出口６６からの冷気の吐出を同じ通路を通じて行う場合と比べて、吹出口３１からの吹出しと、冷気吐出口６６からの吐出のバランスが取り易くなり、冷却性能をさらに向上させることができる。
【００４３】
なお、上記実施の形態では、冷却ダクト６４内に仕切壁を設け、横吹出用冷気通路６４５，６４６を冷却ダクト６４内に構成したが、これに限定されない。例えば、横吹出用冷気通路６４５，６４６と上部吹出用冷気通路６４４を別個に設け、これらの通路を完全に独立させた構成としてもよい。
【図面の簡単な説明】
【００４４】
【図１】本発明の実施の形態１におけるラウンド型オープンショーケースを概略的に示した概略正面図である。
【図２】本発明の実施の形態１におけるラウンド型オープンショーケースの側面を概略的に示した概略側断面図である。
【図３】本発明の実施の形態１におけるラウンド型オープンショーケースの平面を概略的に示した概略平断面図である。
【図４】図１に示した天蓋の実施の形態１を概略的に示した概略Ａ−Ａ断面図である。
【図５】図１に示した天蓋の実施の形態２を概略的に示した概略Ａ−Ａ断面図である。
【図６】図１に示した天蓋の実施の形態３を概略的に示した概略Ａ−Ａ断面図である。
【図７】本発明の実施の形態４におけるラウンド型オープンショーケースを概略的に示した正面図である。
【図８】図７に示した冷気ダクトのＢ−Ｂ断面図である。
【符号の説明】
【００４５】
１０  本体キャビネット
１１  前面
１２  側面
１３  後面
２０  下部筐体
２１  吸込口
２２  前面用ダクト
２３  側面用ダクト
２４  後面用ダクト
３０  天蓋
３１  吹出口
３１ａ，３１ｂ  隅角部
３２〜３６  仕切板
３７  仕切部材
４０  商品陳列室
４１  商品陳列棚
５０  側板
６０  内部冷気循環ユニット
６１，６１ａ〜６１ｃ  冷気流路
６２  送風ファン
６３〜６５  冷気ダクト
６４ａ〜６４ｃ  上端部
６６  冷気吐出口
７０  温度調整ユニット
６４２，６４３  仕切壁
６４４  上部吹出用冷気通路
６４５，６４６  横吹出用冷気通路
６４７，６４８  空気案内板
【図１】
2008149105.tif 000003
【図２】
2008149105.tif 000004
【図３】
2008149105.tif 000005
【図４】
2008149105.tif 000006
【図５】
2008149105.tif 000007
【図６】
2008149105.tif 000008
【図７】
2008149105.tif 000009
【図８】
2008149105.tif 000010